(57)【要約】【課題】意匠性の高い反射装置を提供する。【解決手段】分割ラインＤＰＬの両側の再帰反射要素領域Ｒ、Ｒ’に１８０度対称に反射面１１、１２、１３を有する再帰反射要素１及び反射面１１’、１２’、１３’を有する再帰反射要素１’を配置すると共に、ハウジング２の内面に意匠形成部としてのパターンＰ、Ｐ’を設ける。再帰反射要素１の反射面１２の略直交方向から再帰反射要素１の奥のハウジング２の内面のパターンＰが観察でき、再帰反射要素１’の反射面１２’の略直交方向から再帰反射要素１’の奥のハウジング２の内面のパターンＰ’が観察できる。【選択図】図１
2019203981.tif 000002
【特許請求の範囲】
【請求項１】
ハウジングと、
前記ハウジングの内面に対向して所定距離離れて配置された複数の再帰反射要素を備えたレンズとを具備し、
前記再帰反射要素は相異なる面角度を有する少なくとも第１、第２の反射面を有し、
前記ハウジングの内面に前記各再帰反射要素の前記第１の反射面に略直交する方向から観察される第１のパターンを設け、
前記ハウジングの内面に前記各再帰反射要素の前記第２の反射面に略直交する方向から観察される第２のパターンを設けた反射装置。
【請求項２】
前記反射装置は、少なくとも第１の再帰反射要素領域および第２の再帰反射領域を含む複数の再帰反射要素領域に分割され、
前記第１の反射面は前記第１の再帰反射要素領域内に設けられ、
前記第２の反射面は前記第２の再帰反射要素領域内に設けられ、
前記各再帰反射要素領域において、前記各第１の反射面の面角度は同一であり、かつ前記各第２の反射面の面角度は同一であり、
前記第１のパターンは、前記第１の再帰反射要素領域に対向する面内に設けられ、
前記第２のパターンは、前記第２の再帰反射要素領域に対向する面内に設けられている請求項１に記載の反射装置。
【請求項３】
前記ハウジングの内面において、前記第１のパターンと前記第２のパターンとは独立して設けられ、前記第１のパターンと前記第２のパターンとの間には、パターンが設けられていない領域が存在している請求項１または請求項２に記載の反射装置。
【請求項４】
前記第１のパターンと前記第２のパターンとは、異なる意匠パターンが凹凸面で設けられている請求項１乃至請求項３のいずれかの反射装置。
【発明の詳細な説明】
【技術分野】
【０００１】
本発明は再帰反射要素を有するレンズを備えた反射装置に関する。
【背景技術】
【０００２】
自動車、二輪車等の車両に装着されるリフレックスリフレクタとして入射光線を逆反射させるための３つの反射面よりなる再帰反射要素を有するレンズを備えた反射装置がある。
【０００３】
図５は従来の反射装置におけるレンズを示し、（Ａ）は再帰反射要素を備えたレンズ背面の斜視図、（Ｂ）は（Ａ）の１つの再帰反射要素の斜視図である（参照：特許文献１）。尚、レンズ背面とは、レンズの表面（照射光が入射する側）と反対側の面である。
【０００４】
図５の（Ａ）の反射装置のレンズにおいては、複数の同一の略立方形状の再帰反射要素１が隣接配置されており、各再帰反射要素１は略立方体の角部を形成する反射面１１、１２、１３を有する。この場合、図５の（Ｂ）に示すごとく、各反射面１１、１２、１３の傾斜角（面角度）は基準軸Ａｘに対して略１２０°をなしている。
【０００５】
図５の反射装置におけるレンズはアクリル、ポリカーボネート等の光透過性材料よりなり、先端に略正方形の３反射面を形成し、垂直断面形状が６角形のリフレックスピンを複数本組合せたものを用いて製造される。従って、図５の（Ａ）の反射装置のレンズは、基準軸Ａｘに沿った入射光線Ｌを略逆方向に反射させる逆反射性を呈する。この結果、図５の反射装置が車両の後端に設けられると、夜間、後続車の前照灯の光を反射する反射体として作用し、後続車の人は反射体からの反射光によって前の車両を認識できる。
【先行技術文献】
【特許文献】
【０００６】
【特許文献１】特開２０１１−２２７１３８号公報
【発明の概要】
【発明が解決しようとする課題】
【０００７】
上述の図５に示す従来の反射装置は、外部からの光を反射することにより、反射光を視認させるものであり、自ら発光するものではない。従って、外部からの光が強く当たらない場合には、意匠性が乏しいという課題があった。また、再帰反射光を減少することなく意匠性をもたせたいという要求があった。
【課題を解決するための手段】
【０００８】
上述の課題を解決するために、本発明に係る反射装置は、ハウジングと、ハウジングの内面に対向して所定距離離れて配置された複数の再帰反射要素を備えたレンズとを具備し、再帰反射要素は相異なる面角度を有する少なくとも第１、第２の反射面を有し、ハウジングの内面に各再帰反射要素の第１の反射面に略直交する方向から観察される第１のパターンを設け、ハウジングの内面に各再帰反射要素の第２の反射面に略直交する方向から観察される第２のパターンを設けたものである。
【発明の効果】
【０００９】
本発明によれば、ハウジングの内面の意匠形成部としてのパターンを観察角度に応じて観察できるので、意匠性を向上できる。また、再帰反射機能を損なわずに意匠性を持たせることができる。
【図面の簡単な説明】
【００１０】
【図１】本発明に係る反射装置の第１の実施の形態を示し、（Ａ）は全体斜視図、（Ｂ）は（Ａ）のＢ−Ｂ線断面図である。
【図２】図１の反射装置の変更例を示す図である。
【図３】本発明に係る反射装置の第２の実施の形態を示し、（Ａ）はハウジングの内面図、（Ｂ）は再帰反射要素を示す斜視図である。
【図４】図３の反射装置の断面図であって、（Ａ）はＩ−Ｉ線断面図、（Ｂ）はＩＩ−ＩＩ線断面図、（Ｂ）はＩＩＩ−ＩＩＩ線断面図である。
【図５】従来の反射装置におけるレンズを示し、（Ａ）はレンズ背面の斜視図、（Ｂ）は（Ａ）の１つの再帰反射要素の斜視図である。
【図６】図５の反射装置の課題を説明するための図であって、（Ａ）は全体斜視図、（Ｂ）は（Ａ）のＢ−Ｂ線断面図である。
【発明を実施するための形態】
【００１１】
図１は本発明に係る反射装置の第１の実施の形態を示し、（Ａ）は反射装置の概略正面図、（Ｂ）は（Ａ）のＢ−Ｂ線断面図である。尚、図１（Ａ）において、照射光が入射するレンズ表面には、再帰反射要素は施されていないが、以降の説明の便宜上、該表面に対向する裏面に施されて該表面から視認される再帰反射要素の一部を示している。
【００１２】
図１の反射装置は、ハウジング２と、ハウジング２内に所定距離を置いて対向配置されるレンズ３とから構成されている。レンズ３は、例えば、アクリル、ポリカーボネートなどの光透過性材料から構成されている。レンズ３は、着色されていてもよい。レンズ３のハウジング２側の内面には、レンズカットからなる再帰反射要素領域Ｒ、Ｒ’が形成されている。レンズ３における再帰反射要素領域ＲおよびＲ’において、レンズ３の外面側から略垂直に入射する光を再帰反射する構成となっている。
【００１３】
図１の分割ラインＤＰＬの両側の再帰反射要素領域Ｒ、Ｒ’においては、１８０度対称に反射面１１、１２、１３を有する再帰反射要素１及び反射面１１’、１２’、１３’を有する再帰反射要素１’が配置されている。尚、図１においては、説明を容易とするために、再帰反射要素１および再帰反射要素１’は、部分的に３単位のみを簡略して示しているが、実際には、再帰反射要素領域ＲおよびＲ’のそれぞれの領域を埋めるように多数隣接配置されている。
【００１４】
ハウジング２の内面には、意匠形成部としてのパターンＰ、Ｐ’が設けられている。パターンＰは、ハウジング２の内面における、再帰反射要素領域Ｒに形成された再帰反射要素１における反射面１２の一部を透過して視認される位置に形成されている。また、パターンＰは、ハウジング２の内面における再帰反射要素領域Ｒに対向する領域内に形成されている。他方、パターンＰ’は、ハウジング２の内面における、再帰反射要素領域Ｒ’に形成された再帰反射要素１’における反射面１２’の一部を透過して視認される位置に形成されている。また、パターンＰ’は、ハウジング２の内面における再帰反射要素領域Ｒ’に対向する領域内に形成されている。パターンＰとパターンＰ’とは独立分離して形成されており、ハウジング２の内面の分割線ＤＲＬの対向位置には、いずれのパターンも形成されていない。
【００１５】
再帰反射要素１の基準軸と再帰反射要素１’の基準軸とは相異なり、分割ラインＤＰＬに対して対称となっている。つまり、再帰反射要素１の反射面１１の面角度と再帰反射要素１’の反射面１１’の面角度とは分割ラインＤＰＬに対して対称となっており、再帰反射要素１の反射面１２の面角度と再帰反射要素１’の反射面１２’の面角度とは分割ラインＤＰＬに対して対称となっており、再帰反射要素１の反射面１３の面角度と再帰反射要素１’の反射面１３’の面角度とは分割ラインＤＰＬに対して対称となっている。また、再帰反射要素１の反射面１２の略直交方向から再帰反射要素１の奥のハウジング２の内面のパターンＰが観察でき、他方、再帰反射要素１’の反射面１２’の略直交方向から再帰反射要素１’の奥のハウジング２の内面のパターンＰ’が観察できるようにされている。
【００１６】
尚、パターンＰ、Ｐ’は、意匠を構成し得るいわゆる意匠パターンであり、特異なもの、たとえば文字、ロゴ等の文字パターン、ドット、ライン、格子等の模様パターン、又は立体造形等の立体パターンである。従って、再帰反射要素１、１’の奥の特異な意匠形成部であるパターンＰ、Ｐ’をそれぞれ特定の観察角度より観察でき、意匠性を向上できる。また、意匠パターンは、図１において示したように、凹凸形状を施すことが好ましい。さらに、パターンＰとパターンＰ’とは、異なるパターンから構成することにより（例えば異なる文字列からなる語をそれぞれに形成するなど）、異なる特定の観視角度で、異なる意匠パターンを認識できるように構成することができる。
【００１７】
ここで、図５に示した従来の反射装置の意匠性を比較検討すると、再帰反射要素１が逆反射機能を有するので、各再帰反射要素１の奥は外側から見えにくいが、ある方向からの各再帰反射要素１の反射機能は劣り、その方向からは各再帰反射要素１の奥が観察できる。図６の（Ａ）は従来の反射装置の正面図、（Ｂ）は（Ａ）のＢ−Ｂ線断面図である。尚、図６（Ａ）において、照射光が入射するレンズ表面には、再帰反射要素は施されていないが、説明の便宜上、該表面に対向する裏面に施されて該表面から視認される再帰反射要素の一部を示している。図６に示すごとく、ハウジング（カバー）２の内面から所定距離に各再帰反射要素１を配置すると、再帰反射要素１の反射面１１の略直交方向から再帰反射要素１の奥のハウジング２の内面が観察でき、また、再帰反射要素１の反射面１２の略直交方向から再帰反射要素１の奥のハウジング２の内面が観察でき、さらに、再帰反射要素１の反射面１３の略直交方向から再帰反射要素１の奥のハウジング２の内面が観察できる。尚、図６の（Ｂ）においては、反射面１２の略直交方向のみを図示している。しかしながら、図６の（Ｂ）においては、再帰反射要素１の奥のハウジング２の内面には何ら特異な物が存在しないので、意匠性が乏しい。
【００１８】
尚、図１において、分割ラインＤＰＬによって２つの再帰反射要素領域Ｒ、Ｒ’に分割しているが、２つ以上の分割ラインＤＰＬを設けて３つ以上の再帰反射要素領域に分割して異なる方向の再帰反射要素を設けてよい。たとえば、図２の（Ａ）に示すごとく、分割ラインＤＰＬ１、ＤＰＬ２を設け、４つの異なる再帰反射要素領域Ｒ１、Ｒ２、Ｒ３、Ｒ４を設ける。また、図２の（Ｂ）に示すごとく、分割ラインＤＰＬ３、ＤＰＬ４を設け、４つの異なる再帰反射要素領域Ｒ５、Ｒ６、Ｒ７、Ｒ８を設ける。この場合、各再帰反射要素領域Ｒ１〜Ｒ４、Ｒ５〜Ｒ８に対応したパターンＰ１〜Ｐ４、Ｐ５〜Ｐ８（図示せず）をハウジング２の内面に設ければよい。
【００１９】
図３は本発明に係る反射装置の第２の実施の形態を示し、（Ａ）はハウジングの内面図、（Ｂ）は再帰反射要素を示す斜視図である。
【００２０】
図３においては、図１の分割ラインＤＰＬは存在せず、従って、すべての再帰反射要素１が同一の基準軸を有して配置されている。つまり、各再帰反射要素１の反射面１１（１２、１３）の傾斜角（面角度）は同一である。また、ハウジング（カバー）２の内面のパターンＰ１１、Ｐ１２、Ｐ１３は各再帰反射要素１の反射面１１、１２、１３に対応して設けられている。
【００２１】
図４は図３のＩ−Ｉ線、ＩＩ−ＩＩ線、ＩＩＩ−ＩＩＩ線断面図である。
【００２２】
図４の（Ａ）に示すごとく、再帰反射要素１の反射面１１の略直交する方向で再帰反射要素１の奥のパターンＰ１１を観察でき、また、図４の（Ｂ）に示すごとく、再帰反射要素１の反射面１２の略直交する方向で再帰反射要素１の奥のパターンＰ１２を観察でき、さらに、図４の（Ｃ）に示すごとく、再帰反射要素１の反射面１３の略直交する方向で再帰反射要素１の奥のパターンＰ１３を観察できる。このように、再帰反射要素１の奥の特異な意匠形成部であるパターンＰ１１、Ｐ１２、Ｐ１３を観察角度に応じて観察でき、従って、意匠性を向上できる。
【００２３】
尚、上述の実施の形態においては、再帰反射要素は面角度の相異なる３つの反射面を有するが、本発明に係る反射装置の再帰反射要素は面角度の相異なる３つの反射面を有するものに限定されない。面角度の相異なる少なくとも２つの反射面を有する再帰反射要素であればよい。
【００２４】
また、本発明は上述の実施の形態の自明の範囲のいかなる変更にも適用し得る。
【産業上の利用可能性】
【００２５】
本発明は、車両用リアコンビランプ、リアリフレックスリフレタ、サイドリアリフレックスリフレタ等に利用できる。
【符号の説明】
【００２６】
１、１’：再帰反射要素
１１、１２、１３、１１’、１２’、１３’：反射面
２：ハウジング （カバー）
３：レンズ
Ｐ、Ｐ’、Ｐ１１、Ｐ１２、Ｐ１３：パターン
Ｒ、Ｒ’、Ｒ１、Ｒ２、…、Ｒ８：再帰反射要素領域    
【図１】
2019203981.tif 000003
【図２】
2019203981.tif 000004
【図３】
2019203981.tif 000005
【図４】
2019203981.tif 000006
【図５】
2019203981.tif 000007
【図６】
2019203981.tif 000008